(57)【要約】【課題】  携帯通信端末とメモリ性を有する表示デバイスを備えた携帯表示端末との連携を図り、情報を転送すべき携帯表示端末を特定でき、高速、省電での効率的な情報転送を可能とする情報通信システム及び情報通信方法を得る。【解決手段】  入力手段としての携帯電話機４０と、出力手段としての複数の電子ペーパー端末１（１Ａ，１Ｂ…）と、携帯電話機４０に各種表示情報を送信する情報蓄積手段としてのデータベースサーバ５１とからなる情報通信システム。携帯電話機４０と各電子ペーパー端末１との間では認証を行う無線通信が確立され、及び、表示情報の通信を行うための無線通信が確立され、表示情報はデータベースサーバ５１から携帯電話機４０を経由して電子ペーパー端末１へ送信される。【選択図】  図１
2006157725.tif 000002
【特許請求の範囲】
【請求項１】
携帯通信端末と、メモリ性を有する表示デバイスを備えた携帯表示端末と、前記携帯通信端末に送信すべき表示情報を蓄積している情報蓄積手段と、前記携帯通信端末と前記情報蓄積手段との間で通信を行うための第１の無線通信手段と、前記携帯通信端末と前記携帯表示端末との間で表示情報の通信を行うための第２の無線通信手段と、前記携帯表示端末の識別情報を前記携帯通信端末に送信するための第３の無線通信手段と、前記携帯通信端末へ送られた識別情報に基づいて前記携帯表示端末の認証を行う認証手段と、を備え、
前記第２及び第３の無線通信手段は、通信範囲が前記第１の無線通信手段より狭く、かつ、通信に要する電力が前記第１の無線通信手段より小さいものであり、
表示情報を前記情報蓄積手段から前記携帯通信端末を経由して、認証手段により認証された携帯表示端末に送信すること、
を特徴とする情報通信システム。
【請求項２】
前記第３の無線通信手段は、前記携帯表示端末に内蔵され識別情報を記憶している第１通信回路と、前記携帯通信端末に内蔵された第２通信回路とにより構成され、前記第１通信回路は前記第２通信回路からの通信による電力供給で動作することを特徴とする請求項１に記載の情報通信システム。
【請求項３】
前記携帯表示端末の認証の後、表示情報を受信したときに表示デバイスを起動して情報の表示を行い、該表示の終了後に該表示デバイスの駆動を停止することを特徴とする請求項１又は請求項２に記載の情報通信システム。
【請求項４】
前記情報蓄積手段又は前記携帯通信端末は、前記携帯表示端末のために転送すべき表示情報の加工及びデータ変換の少なくとも一方を行う手段を備えたことを特徴とする請求項１ないし請求項３のいずれかに記載の情報通信システム。
【請求項５】
前記携帯表示端末は前記携帯通信端末との間の通信時に電源容量を確認し、確認された電源容量に応じて前記第２の無線通信手段による通信距離、転送レートを切り換えることを特徴とする請求項１ないし請求項４のいずれかに記載の情報通信システム。
【請求項６】
入力手段としての携帯通信端末と、出力手段としてのメモリ性を有する表示デバイスを備えた携帯表示端末と、前記携帯通信端末に送信すべき表示情報を蓄積している情報蓄積手段とを備えた情報通信システムにおける情報通信方法において、
前記携帯通信端末と前記情報蓄積手段との間で第１の無線通信を確立し、前記携帯通信端末と前記携帯表示端末との間で表示情報の通信を行う第２の無線通信を確立し、
前記携帯表示端末の識別情報を前記携帯通信端末に送信する第３の無線通信を確立し、前記第２及び第３の無線通信を、通信範囲が前記第１の無線通信より狭く、かつ、通信に要する電力が前記第１の無線通信より小さい無線通信手段により行い、
前記携帯通信端末へ送られた識別情報に基づいて前記携帯表示端末の認証を行い、
表示情報を前記情報蓄積手段から前記携帯通信端末を経由して、認証された携帯表示端末に送信すること、
を特徴とする情報通信方法。
【請求項７】
前記第３の無線通信は、前記携帯通信端末に内蔵された第２通信回路からの通信による電力供給で、前記携帯表示端末に内蔵され識別情報を記憶している第１通信回路を動作させることで確立されることを特徴とする請求項６に記載の情報通信方法。
【請求項８】
前記携帯表示端末の認証の後、表示情報を受信したときに表示デバイスを起動して情報の表示を行い、該表示の終了後に該表示デバイスの駆動を停止することを特徴とする請求項６又は請求項７に記載の情報通信方法。
【請求項９】
前記情報蓄積手段又は前記携帯通信端末は、前記携帯表示端末のために転送すべき表示情報の加工及びデータ変換の少なくとも一方を行うことを特徴とする請求項６ないし請求項８のいずれかに記載の情報通信方法。
【請求項１０】
前記携帯表示端末は前記携帯通信端末との間の通信時に電源容量を確認し、確認された電源容量に応じて前記第２の無線通信による通信距離、転送レートを切り換えることを特徴とする請求項６ないし請求項９のいずれかに記載の情報通信方法。
【発明の詳細な説明】
【技術分野】
【０００１】
本発明は、情報通信システム及び情報通信方法、特に、メモリ性を有する表示デバイスを備えた携帯表示端末と携帯通信端末との連携により該携帯表示端末に情報を表示する情報通信システム及び情報通信方法に関する。
【背景技術】
【０００２】
近年、文字・画像データなどの表示装置として、メモリ性を有する液晶や粒子を媒質中で移動させる方式の表示素子などのメモリ性を有する表示デバイスに、入力されたデータを表示するようにした電子ペーパー端末が種々提供されている。表示デバイスがメモリ性を有すると、原理上電力を消費しない状態で一旦表示された情報の表示を継続することができ、経済性に優れ、表示デバイスが薄型のペーパー様であることから可搬性にも優れている。
【０００３】
一方、携帯電話機などの携帯通信端末も広く普及しており、種々の情報を蓄積しているサーバから必要な情報を受け取る情報通信システムが構築されている。しかし、この種の携帯通信端末は表示画面が狭小であり、受け取った情報が見にくいなどの不具合を有している。
【０００４】
そこで、特許文献１には、携帯電話機とデジタルテレビとを連携させた情報通信システムが開示されている。この情報通信システムでは表示画面のサイズに制限のある携帯電話機を、画面サイズの大きいデジタルテレビで補完する構成とすることにより、表示画面サイズの問題点を解消している。
【０００５】
詳しくは、無線通信回線を介して受信した各種情報を表示可能な携帯電話機とデジタルテレビとからなる情報通信システムであって、携帯電話機には、受信した情報をデジタルテレビへ送信可能なブルートゥースや赤外線通信などの近距離通信手段が設けられ、デジタルテレビには携帯電話機からの送信情報を受信可能なブルートゥースや赤外線通信などの近距離通信手段が設けられている。
【０００６】
ところで、小さい画面サイズの携帯通信端末を比較的大きな画面サイズの電子ペーパー端末で補完しようとする場合、いかにして情報を表示させる電子ペーパー端末を認識し、効率よく情報を転送するかが問題となる。特に、メモリ性を有する電子ペーパー端末では電源を断った状態でも表示デバイス上に表示が継続されため、秘密情報が他人に漏洩されるという危険性を伴っている。
【特許文献１】特開２００２−１０１４５７号公報
【発明の開示】
【発明が解決しようとする課題】
【０００７】
そこで、本発明の目的は、携帯通信端末とメモリ性を有する表示デバイスを備えた携帯表示端末との連携を図り、情報を転送すべき携帯表示端末を特定でき、高速、省電での効率的な情報転送を可能とする情報通信システム及び情報通信方法を提供することにある。
【課題を解決するための手段】
【０００８】
以上の目的を達成するため、第１の発明に係る情報通信システムは、携帯通信端末と、メモリ性を有する表示デバイスを備えた携帯表示端末と、前記携帯通信端末に送信すべき表示情報を蓄積している情報蓄積手段と、前記携帯通信端末と前記情報蓄積手段との間で通信を行うための第１の無線通信手段と、前記携帯通信端末と前記携帯表示端末との間で表示情報の通信を行うための第２の無線通信手段と、前記携帯表示端末の識別情報を前記携帯通信端末に送信するための第３の無線通信手段と、前記携帯通信端末へ送られた識別情報に基づいて前記携帯表示端末の認証を行う認証手段と、を備え、前記第２及び第３の無線通信手段は、通信範囲が前記第１の無線通信手段より狭く、かつ、通信に要する電力が前記第１の無線通信手段より小さいものであり、表示情報を前記情報蓄積手段から前記携帯通信端末を経由して、認証手段により認証された携帯表示端末に送信することを特徴とする。
【０００９】
第２の発明に係る情報通信方法は、入力手段としての携帯通信端末と、出力手段としてのメモリ性を有する表示デバイスを備えた携帯表示端末と、前記携帯通信端末に送信すべき表示情報を蓄積している情報蓄積手段とを備えた情報通信システムにおける情報通信方法において、前記携帯通信端末と前記情報蓄積手段との間で第１の無線通信を確立し、前記携帯通信端末と前記携帯表示端末との間で表示情報の通信を行う第２の無線通信を確立し、前記携帯表示端末の識別情報を前記携帯通信端末に送信する第３の無線通信を確立し、前記第２及び第３の無線通信を、通信範囲が前記第１の無線通信より狭く、かつ、通信に要する電力が前記第１の無線通信より小さい無線通信手段により行い、前記携帯通信端末へ送られた識別情報に基づいて前記携帯表示端末の認証を行い、表示情報を前記情報蓄積手段から前記携帯通信端末を経由して、認証された携帯表示端末に送信することを特徴とする。
【００１０】
本発明に係る情報通信システム及び情報通信方法においては、携帯通信端末を携帯表示端末に近づけることで第３の無線通信手段にて自動的に通信を確立させ、まず、認証をすることにより情報転送先の携帯表示端末を特定し、その後に高速かつ省電で情報が携帯表示端末に送信される。
【００１１】
これにて、表示画面サイズに制限のある携帯通信端末を比較的画面サイズの大きい携帯表示端末で補完することができる。また、携帯表示端末の認証を行うことにより、複数ある携帯表示端末から情報を表示すべきものを選択できる。
【００１２】
本発明に係る情報通信システム及び情報通信方法において、携帯表示端末の表示デバイスは駆動電力を停止した後も表示がメモリされるものであるため、省電型であって携帯に便利である。また、表示すべき情報の転送前に携帯表示端末の認証を行うため、表示された情報が特定の個人以外に漏洩することを極力防止することもできる。
【００１３】
携帯表示端末は、携帯通信端末との間で認証の後、表示情報を受信したときに表示デバイスを起動して情報の表示を行い、該表示の終了後に該表示デバイスの駆動を停止するように制御可能である。省電効果を一層発揮させることができる。
【００１４】
また、情報蓄積手段又は携帯通信端末は、携帯表示端末のために転送すべき表示情報の加工及びデータ変換の少なくとも一方を行うようにすれば、情報を携帯表示端末に転送してその表示デバイスに表示した際に見やすくなる。
【００１５】
また、携帯表示端末は携帯通信端末との間の通信時に電源容量を確認し、確認された電源容量に応じて第２の無線通信手段による通信距離、転送レートを切り換えることが好ましい。
【発明を実施するための最良の形態】
【００１６】
以下、本発明に係る情報通信システム及び情報通信方法の実施例について、添付図面を参照して説明する。
【００１７】
（情報通信システム、図１〜図４参照）
本発明の一実施例である情報通信システムは、図１に示すように、入力手段としての携帯電話機４０と、出力手段としての複数の電子ペーパー端末１（１Ａ，１Ｂ…）と、携帯電話機４０に各種表示情報を送信する情報蓄積手段としてのデータベースサーバ５１及び各機器に内蔵された無線通信回路とで構成されている。
【００１８】
電子ペーパー端末１は、図２にも示すように、操作スイッチなどから構成されている操作部１０と、メモリ性を有する液晶（例えば、プレーナ状態とフォーカルコニック状態との双安定性を示すように調整されたカイラルネマチック液晶）を用いた液晶表示デバイス２０と、図３に示す制御部３０とを備えている。また、電子ペーパー端末１はそれぞれの端末固有のＩＤを記憶しているＩＣタグ１５を内蔵している。また、電源として２次電池を有している。
【００１９】
液晶表示デバイス２０は、従来から知られている薄型で可搬性に優れたもので、画像データ及びテキストデータの表示が可能である。図２（Ａ）は画像データを表示している状態を示し、図２（Ｂ）はテキストデータ及び画像データを表示している状態を示している。
【００２０】
電子ペーパー端末１の制御部３０は、図３に示すように、ＣＰＵ３１とＬＣＤドライバ３２とＳＤＲＡＭ３３とフラッシュＲＯＭ３４とで構成されている。ＣＰＵ３１は操作部１０からの指示に基づいて各部を制御する。ＬＣＤドライバ３２は前記液晶表示デバイス２０に画像を表示させるための制御を行う。ＳＤＲＡＭ３３は少なくとも１画面分の表示用のデータを記憶する。フラッシュＲＯＭ３４はＣＰＵ３１の動作プログラムが格納されている。
【００２１】
また、制御部３０にはインターフェース３５が接続されており、このインターフェース３５は、ＬＡＮなどのネットワーク、ＰＣＭＣＩＡ規格のＰＣカードなどの拡張カードや外部機器、ＳＤカードやコンパクトフラッシュ（登録商標）などの情報記憶メディアとの接続を確立するためのものである。
【００２２】
さらに、ＣＰＵ３１には、携帯電話機４０とデータ転送を行うための近距離省電無線通信回路３６、及び、電子ペーパー端末１の特定（認証）を行うための情報を通信する近距離省電無線通信回路（ここではＩＣタグ１５）が接続されている。これら二つの近距離無線通信回路は、携帯電話機４０に内蔵された後述する高速無線通信回路に比べて通信範囲が狭く、通信に要する消費電力が小さいものである。
【００２３】
電子ペーパー端末１は、前述の如く、メモリ特性を有する表示デバイス２０を備えているため、情報を表示した状態での消費電力がほとんどなく、可搬性に富み、低容量の電池を用いても長期間のデータ表示が可能である。しかし、通常の無線ネットワークによる情報の転送処理では、多くの電力消費が生じるため、本実施例では携帯電話機４０との間で近距離省電無線通信回路３６により無線通信を確立することとした。
【００２４】
携帯電話機４０は、図４に示すように、小さなサイズの表示デバイス４１を備えたものであり、データベースサーバ５１との間で高速無線通信を確立する高速無線通信手段を備え、さらに、ＩＤ読取り機能を備えたＲＦＩＤライタ／リーダ４５及び前記電子ペーパー端末１との間で近距離省電無線通信を確立するための近距離省電無線通信回路４６を内蔵している。電子ペーパー端末１に内蔵されるＩＣタグ１５と、携帯電話機４０に内蔵されるＲＦＩＤライタ／リーダ４５とで構成される近距離無線通信手段としては、例えば、FelicaやMifareなどのＮＦＣ（Near Field Communication）を採用することができる。また、電子ペーパー端末１及び携帯電話機４０にそれぞれ内蔵される近距離無線通信回路３６，４６としては、例えば、ブルートゥースやZigbee、ＵＷＢ（Ultra Wide Band）などを採用することができる。
【００２５】
また、前記データベースサーバ５１は、携帯電話機４０から電子ペーパー端末１のために転送すべきドキュメントの発行要求に対し、ドキュメントデータを電子ペーパー端末１の表示に合うようにドキュメントデータの加工やフォーマット変更などのデータ変換を行う手段を備えている。なお、このようなドキュメントデータの加工やデータ変換を行う手段は携帯電話機４０が備えていてもよい。
【００２６】
（情報通信方法、図５及び図６参照）
まず、情報通信方法の概略を示すと、携帯電話機４０とデータベースサーバ５１との間で高速無線通信を確立し、携帯電話機４０と電子ペーパー端末１との間で、ＩＣタグ１５とＲＦＩＤライタ／リーダ４５との間の通信、及び、近距離省電無線通信回路３６，４６にて表示情報の通信を行う近距離省電無線通信を確立する。そして、表示情報をデータベースサーバ５１から携帯電話機４０を経由して電子ペーパー端末１に送信する。
【００２７】
この情報通信システムを構成する電子ペーパー端末１は１台でも複数台でもよい。図１には、４台の端末１Ａ〜１Ｄで構成し、携帯電話機４０から端末１Ａ，１Ｂには同じデータを転送し、端末１Ｃ，１Ｄにはそれぞれ別のデータを転送し、各端末１Ａ〜１Ｄが転送された情報を表示している状態を示している。
【００２８】
ここで、情報通信方法の第１例を図５に示すフローチャートを参照して説明する。まず、携帯電話機４０を電子ペーパー端末１に近接させると（ステップＳ１）、電子ペーパー端末１は携帯電話機４０のＲＦＩＤライタ／リーダ４５から電磁誘導により電力の供給を受ける（ステップＳ２）。これによりＩＣタグ１５が作動状態となる。即ち、電子ペーパー端末１は何ら電力消費を伴うことなく表示を維持しながら、携帯電話機４０に近づいたことを検知することができる。
【００２９】
次に、ＲＦＩＤライタ／リーダ４５は電子パーパー端末１の固有ＩＤ送信要求を端末１に対して送信する（ステップＳ３）。そこで、電子パーパー端末１は自己のＩＤをＩＣタグ１５からＲＦＩＤライタ／リーダ４５に送信する（ステップＳ４）。さらに、内部ＣＰＵ３１はスリープモードを解除してノーマルモードに変更する（ステップＳ５）。また、ＣＰＵ３１は近距離省電無線通信回路３６を起動する（ステップＳ６）。
【００３０】
次に、ＣＰＵ３１は端末１の電池容量を確認し（ステップＳ７）、閾値以上の場合は電池容量に応じて近距離省電無線通信時の通信距離、転送レートを切り換える（ステップＳ８）。一方、ＣＰＵ３１は閾値以下の場合はＡＢＯＲＴ（中止）表示を行い（ステップＳ１５）、スリープモードに切り換える（ステップＳ１３）。
【００３１】
電池容量が閾値以上で通信モードを選択した後、携帯電話機４０は端末１ごとにそのＩＤを予め記憶されているＩＤと比較する（ステップＳ９）。ＩＤが合致していれば、データベースサーバ５１から既に携帯電話機４０に送信されているドキュメントデータを電子ペーパー端末１に転送する（ステップＳ１０）。ＩＤが合致しない場合は、携帯電話機４０にその旨を表示し（ステップＳ１４）、ＣＰＵ３１はスリープモードに切り換える（ステップＳ１３）。
【００３２】
データの転送と同時に、電子ペーパー端末１のＣＰＵ３１は近距離省電無線通信回路３６によるドキュメントデータの転送を受け付けて受信する（ステップＳ１１）。データ受信が終了すると、近距離省電無線通信回路３６を切電し、ＬＣＤドライバ３２を起動して表示デバイス２０への描画を行う（ステップＳ１２）。さらに、ＣＰＵ３１は描画終了後、ＬＣＤドライバ３２を切電するとともにスリープモードに切り換え（ステップＳ１３）、待機する。
【００３３】
次に、情報通信方法の第２例を図６に示すフローチャートを参照して説明する。まず、ユーザは携帯電話機４０で必要な情報を入力し、携帯電話機４０は入力に応じたドキュメントデータの転送要求をデータベースサーバ５１に対して送信する（ステップＳ２１）。例えば、見積書の転送を受けるのであれば、ユーザは携帯電話機４０の表示デバイス４１上で見積書を選択し、型番やオプションなどの情報を入力する。
【００３４】
データベースサーバ５１は必要な情報を受け取ると、ドキュメントを作成してもよいユーザ、携帯電話機であるか否かを携帯電話番号などから認証する（ステップＳ２２）。ここで認証されると、サーバ５１は転送を要求されたドキュメントデータを電子ペーパー端末１に特化したものとして作成する（ステップＳ２３）。例えば、表示デバイス２０の画面サイズに応じた加工、フォントやコントラストなどが表示デバイス２０に適したパラメータに変換する。作成されたドキュメントデータはその後携帯電話機４０に送信される（ステップＳ２４）。
【００３５】
次に、携帯電話機４０は電子ペーパー端末１への転送モードに切り換えられ、該携帯電話機４０を任意の電子ペーパー端末１に近づけると、または、接触させることで、端末１の認証のための通信がＩＣタグ１５とＲＩＦＤライタ／リーダ４５とにより自動的に行われる（ステップＳ２５）。
【００３６】
個別認証が確認されると、携帯電話機４０の近距離省電無線通信回路４６と電子ペーパー端末１の近距離省電無線通信回路３６との接続を確立する（ステップＳ２６）。
【００３７】
次に、携帯電話機４０は受信しているドキュメントデータを電子ペーパー端末１に転送する（ステップＳ２７）。このデータ転送が終了すると、ＣＰＵ３１はＬＣＤドライバ３２を駆動して表示デバイス２０をデータに基づいて書き換え（ステップＳ２８）、書換え後にＬＣＤドライバ３２を切電する。
【００３８】
なお、間違えて他の電子ペーパー端末にドキュメントデータを転送してしまった場合、電子ペーパー端末にはＳＤＲＡＭ３３に以前のデータが蓄えられているため、該端末上の操作ボタンにより以前のデータに表示を戻すこともできる。
【００３９】
以上の如く、１台又は複数台の電子ペーパー端末１と携帯電話機４０との連携によってデータベースサーバ５１から情報を取得する情報通信システム及び情報通信方法によれば、携帯電話機４０と電子ペーパー端末１との間での認証をワンタッチ又は双方を近接させるだけで行うことができ、低消費電力で効率的に電子ペーパー端末１に適したファイル構造で表示すべき情報を端末１に転送し、表示・閲覧することが実現する。
【００４０】
例えば、営業社員などは、複数台の電子ペーパー端末１を用意しておき、それぞれの端末１に異なる見積書などのドキュメントを同時に表示すれば、顧客はそれらの比較検討を容易に行うことができる。
【００４１】
（他の実施例）
なお、本発明に係る情報通信システム及び情報通信方法は前記実施例に限定するものではなく、その要旨の範囲内で種々に変更できる。
【００４２】
例えば、携帯通信端末、電子ペーパー端末、情報蓄積手段の細部の構成は任意である。
【図面の簡単な説明】
【００４３】
【図１】本発明に係る情報通信システムの一例を示す構成図である。
【図２】前記情報通信システムを構成する電子ペーパー端末を示す正面図である。
【図３】前記情報通信システムを構成する前記電子ペーパー端末の制御部を示すブロック図である。
【図４】前記情報通信システムを構成する携帯電話機と前記電子ペーパー端末の通信状態を示す説明図である。
【図５】本発明に係る情報通信方法の第１例を示すフローチャート図である。
【図６】本発明に係る情報通信方法の第２例を示すフローチャート図である。
【符号の説明】
【００４４】
１…電子ペーパー端末
１５…ＩＣタグ
２０…表示デバイス
３０…制御部
３１…ＣＰＵ
３６，４６…近距離省電無線通信回路
４０…携帯電話機
４５…ＲＦＩＤライタ／リーダ
５１…データベースサーバ
【図１】
2006157725.tif 000003
【図２】
2006157725.tif 000004
【図３】
2006157725.tif 000005
【図４】
2006157725.tif 000006
【図５】
2006157725.tif 000007
【図６】
2006157725.tif 000008